(57)【要約】【課題】誰でも簡単に手相線を記録できる手相記録シートを提供すること。【解決手段】手相線を記録するための手相記録シート１は、手の輪郭４が描かれ、片面に粘着層３が設けられた透明シート２と、該透明シート２の粘着層３側に設けられた剥離シート６とから構成される。【選択図】図１
2010167658.tif 000002
【特許請求の範囲】
【請求項１】
手相線を記録するためのシートであって、
手の輪郭が描かれ、片面に粘着層が設けられた透明シートと、
該透明シートの粘着層側に設けられた剥離シートと、
からなる手相記録シート。
【請求項２】
前記剥離シートは、少なくとも前記手の輪郭部の内側に対応する領域が無地であることを特徴とする請求項１に記載の手相記録シート。
【請求項３】
前記剥離シートが、透明であることを特徴とする請求項１に記載の手相記録シート。
【請求項４】
前記剥離シートと前記透明シートは、相互に一端が結合されていることを特徴とする請求項１から請求項３のいずれか一項に記載の手相記録シート。
【請求項５】
手相を記録した日付を記入する欄を、前記透明シートに設けたことを特徴とする請求項１から請求項４のいずれか一項に記載の手相記録シート。
【請求項６】
複数の手相記録シートを重ねてファイルするための綴じ穴を設けたことを特徴とする請求項１から請求項５のいずれか一項に記載の手相記録シート。
【請求項７】
前記透明シートまたは前記剥離シートは、前記手の輪郭部の内側に対応する領域に、手相解説線が表示されていることを特徴とする請求項１から請求項６のいずれか一項に記載の手相記録シート。
【発明の詳細な説明】
【技術分野】
【０００１】
本発明は、手相を記録するためのシートに関するものである。
【背景技術】
【０００２】
日本人は手相に関心が深く、自分の手相を占い師に見てもらう人や、手相に関する様々な本を見て、自分で手相を占う人もいる。
【０００３】
しかしながら、手相は変化するものであり、今現在の自分の手相だけでなく、過去の手相と比較して、現在の自分の手相がどのように変化しているのかを知りたいという欲求もある。
【０００４】
そこで、自分の手相を記録しておくことが考えられるが、誰でも簡単に手相線を記録できるシートやキットは提案されていないのが現状である。
【０００５】
例えば、特許文献１では、手型や足型の型取りを簡単に行うための型取り用シートが提案されている。
また、特許文献２では、粘土材を充填した枠体内で、手を押し付けて、手型を記録する製造具が開示されている。
【先行技術文献】
【特許文献】
【０００６】
【特許文献１】特開平０７−０６０８５４号公報
【特許文献２】特開平０６−０５５５２４号公報
【発明の概要】
【発明が解決しようとする課題】
【０００７】
しかし、これらの特許文献に開示された型取り用シートや製造具は、主に子どもの成長過程を記念に残すためのものであり、記録された手型から必要な手相線を読み取るには不向きである。
【０００８】
そこで、本発明では、誰でも簡単に手相線を記録できる手相記録シートを提供することを目的とする。
また、本発明では、過去の手相と比較して、どのように自分の手相が変化したかを簡単に確認できる手相記録シートを提供することも目的とする。
【課題を解決するための手段】
【０００９】
上述した課題を解決するため、本発明による手相記録シートは、手相線を記録するためのシートであって、手の輪郭が描かれ、片面に粘着層が設けられた透明シートと、該透明シートの粘着層側に設けられた剥離シートと、から構成されたことを特徴とする。
【００１０】
このような手相記録シートによると、剥離シートを剥がした後、透明シートに描かれた手の輪郭に合わせて、透明シートの粘着層側（裏側）を自分の手に貼り付け、透明シートの反対側（表側）から油性ペンなどで、自分の手相線をなぞることで、簡単に自分の手相を記録することができる。
手相線を記録した後は、剥離シートを戻して、透明シートの粘着層と再度接着させることで、粘着層に異物が付着することを防止できる。
【００１１】
本発明による手相記録シートでは、前記剥離シートは、少なくとも前記手の輪郭部の内側に対応する領域が無地であってもよい。
【００１２】
このような手相記録シートによると、記録した手相線を容易に識別することができる。
【００１３】
また、本発明による手相記録シートでは、前記剥離シートが透明であってもよい。
【００１４】
このような手相記録シートによると、剥離シートが透明であるので、手相が記録された複数枚の手相記録シートを重ね合わせることで、過去の手相と比較して、どのように自分の手相が変化したかを簡単に確認することができる。
【００１５】
また、本発明による手相記録シートでは、前記剥離シートと前記透明シートは、相互に一端が結合されてもよい。
【００１６】
このような手相記録シートによると、剥離シートと透明シートが一端で結合されているので、手相線の記録時に剥離した剥離シートが透明シートから完全に離れてしまうことがなく、手相線の記録後に剥離シートと透明シートを正確に位置合わせして、再度接着させることが容易になる。
【００１７】
また、本発明による手相記録シートでは、手相を記録した日付を記入する欄を、前記透明シートに設けてもよい。
【００１８】
このような手相記録シートによると、日付記入欄を見れば、記録した手相がいつのものかすぐにわかるので、過去の手相と比較して手相の変化を見る場合にも便利である。
【００１９】
また、本発明による手相記録シートでは、複数の手相記録シートを重ねてファイルするための綴じ穴を設けてもよい。
【００２０】
このような手相記録シートによると、複数の手相記録シートを、綴じ穴を通してバインダーに重ねてファイルすることができるので、複数の手相記録シートを散逸せずに纏めて収納・保存することができる。
【００２１】
さらに、本発明による手相記録シートでは、前記手の輪郭部の内側に対応する領域に、手相解説線が表示されている構成としてもよい。
【００２２】
このような手相記録シートによると、記録した各手相線が、手の輪郭部の内側に表示された手相解説線と重なるので、手相線に関する知識がなくても、自分の記録した手相線が何を意味するものであるのか容易に理解することができる。
【発明の効果】
【００２３】
本発明の手相記録シートによれば、誰でも簡単に手相線を記録できる手相記録シートを提供することができる。
【図面の簡単な説明】
【００２４】
【図１】透明シートと剥離シートから構成される第１実施形態による手相記録シートを示す説明図である。
【図２】透明シートと剥離シートの一端部が結合された状態を示す側面図である。
【図３】手相記録シートの使用方法を説明した図であり、（ａ）は剥離シートを剥がして手相線を記録している状態を示し、（ｂ）は手相線の記録後に剥離シートを透明シートに再度接着させた状態を示す。
【図４】複数の手相記録シートを重ねてファイルした状態を示す説明図である。
【図５】複数の手相記録シートに描かれた手相を比較している状態を示す、第２実施形態の説明図である。
【図６】手相解説線が表示された第３実施形態による手相記録シートを示す平面図である。
【図７】複数の手相記録シートの下に、手相解説線が表示された解説シートを重ねてファイルする状態を示す、第４実施形態の説明図である。
【発明を実施するための形態】
【００２５】
以下、添付の図面を参照して、本発明の実施形態について詳述する。
【００２６】
［第１実施形態］
図１に示すように、本発明の第１実施形態による手相記録シート１は、片面に粘着層３（図２参照）が設けられた透明シート２と、この透明シート２の粘着層３側に設けられた剥離シート６とから構成される。
【００２７】
透明シート２は、公知の透明なシート材から構成され、中央部には人の手型が描かれた輪郭部４が設けられる。そして、透明シート２の右下端部には、自分の氏名、生年月日、手相を記録した日付を記入するための記入欄５が設けられている。
透明シート２の裏側には粘着層３が全面に設けられており、手相を記録する際に輪郭部４に合わせて置いた手に透明シート２が貼りついて、相互の位置がずれることを防止する。
【００２８】
粘着層３は、繰り返し使用しても接着力が落ちないものが望ましいが、少なくとも剥離シート６を剥がして手相を記録した後、再度剥離シート６と接着できる程度の接着力を持つことが望ましい。図２に示すように、粘着層３は、透明シート２の裏面全体に公知の粘着剤を塗布することで形成される。
【００２９】
剥離シート６は、図１および図２に示すように、透明シート２と同一寸法を有するシート材であり、透明シート２の粘着層３側に重ねて設けられ、粘着層３を保護するとともに、手相を記録した後は粘着層３に異物が付着することを防止するものである。
剥離シート６は、白色または淡色の無地のシート材が好適であるが、透明シート２の輪郭部４の内側に記録した手相線が容易に識別できればよく、例えば、輪郭部４の内側に対応する領域のみを無地とすることもできる。
【００３０】
このように構成される手相記録シート１は、バインダーなどに綴じて保存できるように、左側の端部に綴じ穴７が設けられている。
また、好適には、図２に示すように、透明シート２と剥離シート６の一端が結合部８で相互に結合されている。
【００３１】
以下、図３および図４を参照して、手相記録シート１の使用方法を説明する。
初めに、手相記録シート１の裏面となる剥離シート６を剥がして、透明シート２の裏面に設けられた粘着層３を露出させる。
このとき、透明シート２と剥離シート６の上端が結合部８で繋がっているので、２つのシートが離れることはない。
【００３２】
次に、透明シート２の裏面側から自分の左手を透明シート２の輪郭部４に合わせて当てる。そして、黒色の油性ペンなどを用いて、自分の手相線を透明シート２の表面側からなぞることで、手相を記録する。
手相を記録した後は、剥離シート６を戻して、透明シート２と剥離シート６を再度接着させる。
最後に、自分の氏名、生年月日、手相を記録した記録日（年月日）を記入欄５に記入する。
【００３３】
そして、図４に示すように、手相を記録した複数枚の手相記録シート１を集めて、綴じ穴７を利用してバインダー１０に綴じて保存することができる。
【００３４】
以上のように構成された第１実施形態による手相記録シート１によると、下記の有利な効果を奏する。
（１）透明シート２の輪郭部４に合わせて左手を置き、油性ペンなどで手相線をなぞるという簡単な方法で、誰でも容易に自分の手相を記録することができる。
（２）手相を記録した後、剥離シート６を戻して、透明シート２の粘着層３と再度接着させることで、粘着層３に異物が付着することを防止できる。
（３）剥離シート６は、透明シート２の輪郭部４に対応する領域が白色または淡色の無地であるため、例えば、黒色の油性ペンで記録した手相線を容易に識別することができる。
（４）透明シート２と剥離シート６が上端で結合されているので、手相線の記録時に剥離した剥離シート６が透明シート２から完全に離れてしまうことがなく、手相線の記録後に透明シート２と剥離シート６を正確に位置合わせして、再度接着させることが容易になる。
（５）氏名、生年月日、記録日を透明シート２の記入欄５に記入できるので、記録した手相がいつのものかすぐにわかり、過去の手相と比較して自分の手相の変化を見る場合にも便利である。また、他人に手相を鑑定してもらう場合には、記録された手相線だけでなく、氏名の字画や、生年月日、手相を記録した時点での年齢などの情報も記入欄５から得ることができるので、より詳細な鑑定が可能となる。
（６）手相記録シート１の左端部に綴じ穴７を設けたので、複数の手相記録シート１を、綴じ穴７を通して重ねて、バインダー１０などの文具にファイルすることができるので、複数の手相記録シート１を散逸せずに纏めて収納・保存することができる。
【００３５】
上述した手相記録シート１は、本発明の要旨を逸脱しない範囲で、適宜変更または変形することが可能である。
例えば、手相記録シート１を左手の手相記録用として説明したが、右手用や両手用の手相記録シート１とすることも可能である。
また、透明シート２の裏面全体に粘着層３を設けるのではなく、透明シート２の裏面の一部、少なくとも輪郭部４の内側領域を含む一部領域に粘着層３を設けることも可能である。この場合、粘着層３の領域に対応して剥離シート６の大きさを変更することも可能である。
さらに、透明シート２と剥離シート６を繋ぐ結合部８は、手相記録シート１の上端以外の端部に設けてもよい。また、手相記録シート１の１つの角部のみに結合部８を設ける構成としてもよい。
【００３６】
［第２実施形態］
図５を参照して、本発明の第２実施形態を説明する。本実施形態では、第１実施形態による手相記録シート１と異なる構成要素のみを説明し、同一要素については詳細な説明を省略する。
【００３７】
図５に示すように、手相記録シート１１は、手相が記録された複数枚の手相記録シート１１を重ねることで、手相の変化を比較するためのものである。
第１実施形態の手相記録シート１と異なり、第２実施形態の手相記録シート１１では、剥離シート６が透明なシートで構成される。
【００３８】
また、第２実施形態の手相記録シート１１は、手相を記録した年（月日）を記入するための見出しラベル１５を右側縁部に設けている。なお、見出しラベル１５は、各手相記録シート１１で異なる高さ位置に設けられる。
さらに、第２実施形態の手相記録シート１１では、重ねてファイルするための綴じ代１７が左側縁部に設けられている。第１実施形態の綴じ穴７と同様に、綴じ代１７には２つの綴じ穴が設けられている。
【００３９】
以上のように構成された第２実施形態による手相記録シート１１によると、第１実施形態の手相記録シート１の効果に加えて、下記の有利な効果を奏する。
（１）剥離シート６が透明なシートで構成されているので、複数枚の手相記録シート１１を重ね合わせることで、過去の手相と比較して、どのように自分の手相が変化したかを簡単に確認することができる。
（２）手相記録シート１１の右側縁部に設けた見出しラベル１５に、手相を記録した年（月日）を記入するため、複数枚の手相記録シート１１を重ね合わせた場合でも、所望の手相記録シート１１を簡単に見つけることができる。そのため、例えば、多数のうちから２枚の手相記録シート１１を抽出し、これらを重ねて比較する場合、所望の手相記録シート１１の抽出作業や抽出した手相記録シート１１を元に戻す整理作業を簡単に行うことができる。
（３）手相記録シート１１の左側縁部に綴じ代１７を設けたので、２穴式のバインダー１０だけでなく、綴じ穴のピッチが一致する他の多数穴式バインダーに綴じることも可能となる。
【００４０】
［第３実施形態］
図６を参照して、本発明の第３実施形態を説明する。本実施形態では、第１実施形態による手相記録シート１と異なる構成要素のみを説明し、同一要素については詳細な説明を省略する。
【００４１】
図６に示すように、手相記録シート２１は、輪郭部４の内側領域に位置するように、手相解説線Ａ〜Ｄが表示されている。
手相解説線Ａ〜Ｄは、透明シート２または剥離シート６に着色表示した線である。手相解説線Ａ〜Ｄは、記録する各手相線の形状や位置に個人差があることを考慮して、太めの線、例えば、３〜１０ｍｍ幅の線で描いてある。また、記録した手相線と重なった場合でも容易に識別できるように、手相解説線Ａ〜Ｄは、薄いトーン、例えば、明度５０％以上の中間調で描かれている。
【００４２】
手相解説線Ａ〜Ｄは、手相線に関する知識がなくても、自分が記録した手相線がどの手相線に該当するのか理解する手助けとなるものであり、例えば、生命線、運命性、知能線、感情線を示す位置に設けられている。
それぞれの手相解説線には、参照記号Ａ〜Ｄが表示されており、透明シート２または剥離シート６の右下に設けられた手相解説欄２２に表示された対応する参照記号Ａ〜Ｄを見れば、各手相線の名称がわかるようになっている。
なお、手相解説欄２２では、手相線の名称だけでなく、各手相線がどのような意味を持つかを解説することも勿論可能である。また、手相線は、図示した４つの手相線のみに限らず、他の手相線を表示することも勿論可能である。
【００４３】
以上のように構成された第３実施形態による手相記録シート２１によると、第１実施形態の手相記録シート１の効果に加えて、下記の有利な効果を奏する。
（１）自分で記録した各手相線が、手相記録シート２１における輪郭部４の内側に表示された手相解説線Ａ〜Ｄと重なるので、手相線に関する知識がなくても、自分の記録した手相線が何を意味するものであるのか容易に理解することができる。
【００４４】
［第４実施形態］
図７を参照して、本発明の第４実施形態を説明する。本実施形態では、第１実施形態による手相記録シート１と異なる構成要素のみを説明し、同一要素については詳細な説明を省略する。
【００４５】
図７に示すように、手相記録シート３１は、第２実施形態による手相記録シート１１と同様に、複数枚の手相記録シート３１を重ねることで、手相の変化を比較するためのものである。
そのため、剥離シート６は透明なシートで構成される。また、手相記録シート３１の右側縁部には、手相を記録した年（月日）を記入するための見出しラベル３５が設けられている。
【００４６】
さらに、第４実施形態では、複数の手相記録シート３１の下に重ねてファイルするための解説シート４０が設けられる。
解説シート４０は、手相記録シート３１の下に重ねて使用するもので、記録した各手相線が何を意味するものかを解説するシートである。
具体的な構成として、解説シート４０の中央部には、手相記録シート３１の輪郭部４に合致する配置で輪郭部４４が描かれている。輪郭部４４の内部には、手相解説線Ａ〜Ｄが表示されている。そして、解説シート４０の右下には、手相解説欄４２が設けられている。
解説シート４０の左側端部には、手相記録シート３１の綴じ穴７と合致する配置で、２つの綴じ穴４７が設けられている。
【００４７】
解説シート４０に表示された手相解説線Ａ〜Ｄおよび手相解説欄４２は、上述した第３実施形態による手相記録シート２１に表示した手相解説線Ａ〜Ｄおよび手相解説欄２２に対応するものであり、詳細な説明は省略する。
【００４８】
第４実施形態では、複数の手相記録シート３１の下に解説シート４０を重ねて綴じることで、過去の手相と比較して、どのように自分の手相が変化したかを簡単に確認することができる。
さらに、複数の手相記録シート３１と解説シート４０を綴じるバインダーをセットとして、手相記録キットを提供することもできる。
【００４９】
以上のように構成された第４実施形態による手相記録シート３１によると、第１実施形態の手相記録シート１の効果に加えて、下記の有利な効果を奏する。
（１）剥離シート６が透明シートで構成されているので、複数枚の手相記録シート３１を重ね合わせることで、過去の手相と比較して、どのように自分の手相が変化したかを簡単に確認することができる。
（２）手相記録シート３１の右側縁部に設けた見出しラベル３５に、手相を記録した年（月日）を記入するため、複数枚の手相記録シート３１を重ね合わせた場合でも、所望の手相記録シート３１を簡単に見つけることができる。そのため、例えば、多数のうちから２枚の手相記録シート３１を抽出し、これらを重ねて比較する場合、所望の手相記録シート３１の抽出作業や抽出した手相記録シート３１を元に戻す整理作業を簡単に行うことができる。
（３）自分で記録した各手相線が、解説シート４０における輪郭部４４の内側に表示された手相解説線Ａ〜Ｄと重なるので、手相線に関する知識がなくても、自分の記録した手相線が何を意味するものであるのか容易に理解することができる。
【００５０】
以上に本発明の各実施形態について説明したが、本発明は上述した実施形態に限定されず、本発明の要旨を逸脱しない範囲で適宜設計変更可能である。
【符号の説明】
【００５１】
１      手相記録シート
２      透明シート
３      粘着層
４      輪郭部
５      記入欄
６      剥離シート
７      綴じ穴
８      結合部
１０    バインダー
１１    手相記録シート
１５    見出しラベル
２１    手相記録シート
Ａ〜Ｄ  手相解説線
２２    手相解説欄
３１    手相記録シート
３５    見出しラベル
４０    解説シート
４２    手相解説欄
【図１】
2010167658.tif 000003
【図２】
2010167658.tif 000004
【図３】
2010167658.tif 000005
【図４】
2010167658.tif 000006
【図５】
2010167658.tif 000007
【図６】
2010167658.tif 000008
【図７】
2010167658.tif 000009